(57)【特許請求の範囲】
【請求項１】
被検眼の視線を固定するための固視標と、半球ドーム面として形成された視野測定面に対して、視標スポット光を所望の位置に投影するための視野視標投影手段とからなる視野測定装置において、該視野視標投影手段により、前記視野測定面の所望の位置に、視力検査用視標パターン像を投影することを特徴とする視野測定装置。
【請求項２】
前記視力検査用視標パターン像のパターン部とパターン部の背景の明るさの比を変化させる様に構成した請求項１記載の視野測定装置。
【請求項３】
被検眼の視線を固定するための固視標と、半球ドーム面として形成された視野測定面に対して、視標スポット光を所望の位置に投影するための視野視標投影手段とからなる視野測定装置において、該視野視標投影手段により、前記視野測定面の所望の位置に、運動閾値測定用パターン像を投影することを特徴とする視野測定装置。
【発明の詳細な説明】
【０００１】
【発明の属する技術分野】
本発明は視野測定装置に係わり、特に、半球ドーム面として形成された視野測定面に対して、指標イメージを投射することにより、全視野に渡って多種の眼科検査を実行することのできる視野測定装置に関するものである。
【０００２】
【従来の技術】
緑内症等の眼部に関する疾病を診断する上で、被検眼の視野を測定することが有効な手段とされている。この被検眼の視野を測定するための検査装置として、半球ドーム面として形成された視野測定面に対して、スポット光を投射する視野測定装置が存在していた。
【０００３】
更に、被検眼の周辺部の眼機能を測定する測定装置も開発されており、運動刺激等の複雑な刺激を与えることにより、特に、緑内障等の診断に有効であるとされている。
【０００４】
【発明が解決しようとする課題】
しかしながら、上記従来の視野測定装置と、上述の被検眼の周辺部の眼機能を測定する測定装置とは、別体な測定装置となっており、同時に検査を行うことができず、診断効率が極めて低いという深刻な問題点があった。
【０００５】
【課題を解決するための手段】
以上の様に構成された本発明は、被検眼の視線を固定するための固視標と、半球ドーム面として形成された視野測定面に対して、視標スポット光を所望の位置に投影するための視野視標投影手段とからなる視野測定装置において、該視野視標投影手段により、前記視野測定面の所望の位置に、視力検査用視標パターン像を投影する構成となっている。
【０００６】
また本発明は、視力検査用視標パターン像のパターン部とパターン部の背景の明るさの比を変化させる様に構成することもできる。
【０００７】
更に本発明は、被検眼の視線を固定するための固視標と、半球ドーム面として形成された視野測定面に対して、視標スポット光を所望の位置に投影するための視野視標投影手段とからなる視野測定装置において、該視野視標投影手段により、前記視野測定面の所望の位置に、運動閾値測定用パターン像を投影する構成となっている。
【０００９】
【発明の実施の形態】
以上の様に構成された本発明は、固視標が、被検眼の視線を固定し、視野視標投影手段が、半球ドーム面として形成された視野測定面に対して、視標スポット光を所望の位置に投影する様になっており、視野視標投影手段により、視野測定面の所望の位置に、視力検査用視標パターン像を投影することができる。
【００１０】
また本発明は、視力検査用視標パターン像のパターン部とパターン部の背景の明るさの比を変化させる様にすることもできる。
【００１１】
更に本発明は、視野視標投影手段により、視野測定面の所望の位置に、運動閾値測定用パターン像を投影することができる。
【００１３】
【実施例】
【００１４】
本発明の実施例を図面に基づいて説明する。
【００１５】
「第１実施例」
【００１６】
本発明の第１実施例を図面に基づいて説明する。図１及び図２に示す様に、本第１実施例の視野測定装置１００００は、半球ドーム面として形成された視野測定面１０００と、この視野測定面１０００に対して、視標スポット光を所望の位置に投影するための視野視標投影手段２０００とを備えている。
【００１７】
本第１実施例の視野測定装置１００００は、視野測定面１０００と、視野視標投影手段２０００と、プロジェクション機構３０００と、バックグラウンド照明手段４０００と、演算処理手段５０００とから構成されている。
【００１８】
視野測定面１０００の内面の中心には、被検眼の視線を固定するための固視標１１００が形成されている。視野視標投影手段２０００とプロジェクション機構３０００とは、視野測定面１０００を挟んで対向する位置に配置されており、視野測定面１０００にはガイド穴１２００が形成されており、視野視標投影手段２０００の指標スポット光は、ガイド穴１２００を通過してプロジェクション機構３０００に達する様に構成されている。
【００１９】
視野視標投影手段２０００は、視野測定面１０００の背面部に形成されており、視野指標であるスポット光を、プロジェクション機構３０００を介して視野測定面１０００の内部に投影させるためのものである。視野視標投影手段２０００は、光源２１００と、イメージ面２２００と、投影レンズ２３００と、合焦調整手段２４００と、あおり補正機構２５００とから構成されている。
【００２０】
光源２１００は、照明光源であり、適宜の光源が採用される。
【００２１】
イメージ面２２００は、演算処理手段５０００により形成されたイメージ像を形成するためのものであり、あおり補正機構２５００が設けられている。イメージ面２２００に画像を形成させることにより、視野測定面１０００の所望の位置に、視力検査用視標パターン像等を投影することができる。
【００２２】
投影レンズ２３００は、光源２１００とイメージ面２２００とにより形成された指標スポット光を、視野測定面１０００のガイド穴１２００を通過させてプロジェクション機構３０００に投射させるためのものである。
【００２３】
合焦調整手段２４００は、イメージ面２２００と投影レンズ２３００とを同時に移動させ、プロジェクション機構３０００を介して視野測定面１０００内面に投影される像を合焦させるためのものである。
【００２４】
あおり補正機構２５００は、演算処理手段５０００の制御信号に基づいて、イメージ面２２００を回転等させるためのものである。この様にイメージ面２２００を回転させる光学的なあおり補正の他、画像形成部５２００が、予め、発生する歪をキャンセルする様な変形画像を形成し、この変形画像をイメージ面２２００に生成することにより、実質的なあおり補正を実現することもできる。
【００２５】
プロジェクション機構３０００は、視野測定面１０００の内部に形成されており、反射ミラー３１００と、この反射ミラーを走査させるための反射ミラー駆動手段３２００とから構成されている。反射ミラー３１００は、適宜の方式により回動自在に軸止されており、反射ミラー駆動手段３２００により走査される様に構成されている。反射ミラー駆動手段３２００は、演算処理手段５０００の制御信号に基づき、反射ミラー３１００を走査させ、視野視標投影手段２０００からの指標スポット光を視野測定面１０００の内面の所望の位置に投影させることができる。
【００２６】
バックグラウンド照明手段４０００は、視野測定面１０００の内面を照明するためのもので、全体の色彩、輝度等を調整することができる。
【００２７】
演算処理手段５０００は、制御手段５１００と画像形成部５２００とから構成されている。制御手段５１００は、ＣＰＵを含んでおり、反射ミラー駆動手段３２００等の制御を実行すると共に、本視野測定装置１００００全体の制御を司っている。画像形成部５２００は、イメージ面２２００に所望の画像を形成させるためのものであり、本第１実施例の視野測定装置１００００では、視力検査用視標パターン像や、パターン部とパターン部の背景の明るさの比を変化させたパターン像、運動閾値測定用パターン像、色知覚測定用パターン像等を形成することができる。
【００２８】
演算処理手段５０００には、被検者用入力手段５３００が接続されており、被検者の反応を入力することができる。
【００２９】
演算処理手段５０００は、パーソナルコンピュータ、専用ボードコンピュータ、ゲーム機等を利用することができ、被検者用入力手段５３００は、押しボタン、トラックボール、スラーイダー、キーボード等を採用することができる。
【００３０】
以上の様に構成された第１実施例の視野測定装置１００００は、被検者が、額当て部材及び顎受け部材に、額と顎を当てがい、顔部を顔部受け入れ穴に挿入して、視野測定面１０００の内面の中心部に形成された固視標１１００を固視しつつ検査を受ける様になっている。
【００３１】
次に、視野視標投影手段２０００により、視野測定面１０００の内面に投影されるイメージ像を詳細に説明する。
【００３２】
（Ａ）「視力検査用視標パターン像」
【００３３】
第１実施例の視野測定装置１００００は、図３に示す視野測定面１０００の内面にイメージ像Ａを投影することができ、プロジェクション機構３０００の反射ミラー３１００を走査させることにより、所望の位置にイメージ像Ａを投影させることができる。従って、視野の周辺部の所望位置に刺激提示を行うことができる。
【００３４】
まず、視力検査用視標パターン像を視野測定面１０００の内面に投影することにより、その視野位置での視力（ＶＩＳＵＡＬ  ＡＣＵＩＴＹ）を測定することができる。この視力検査用視標パターン像は、図４に示す様な文字刺激「と」や、ランドルト環等を表示させることができる。なお、文字刺激は「と」に限らず、何れの文字を提示することができる。また、文字刺激とランドルト環の大きさは、適宜変更することが可能である。
【００３５】
（Ｂ）「パターン部とパターン部の背景の明るさの比を変化させたパターン像」
【００３６】
次に、パターン部とパターン部の背景の明るさの比を変化させたパターン像を視野測定面１０００の内面の所望位置に投影することにより、その視野位置での輝度閾値を測定することができる。このパターン部とパターン部の背景の明るさの比を変化させたパターン像は、例えば、図５に示す様な文字刺激「と」と、その背景の明るさの比を変化させるものである。即ち、文字刺激「と」と、背景とのコントラストを変化させて
輝度閾値を測定することができる。
【００３７】
なお、この例では、パターン部を文字刺激「と」としているが、文字刺激に限らず、何れのパターンにすることができる。
【００３８】
（Ｃ）「運動閾値測定用パターン像」
【００３９】
また、運動閾値測定用パターン像を視野測定面１０００の内面の所望位置に投影することにより、その視野位置での運動閾値を測定することができる。
【００４０】
この運動閾値測定用パターン像は、例えば、図６に示す様に「ドット」を上下に移動させることにより、運動閾値を測定することができる。図６の矢印は、「ドット」の速度ベクトルを表すものであり、時間と共に、その速度が変化する様に構成されている。この速度の変化は、矩形関数や三角関数等に従う様に構成することもでき、これらの関数の周期を変化させる様になっている。
【００４１】
被検者は、「ドット」の上下移動を観察し、「ドット」の移動の停止を知覚した時を把握することにより、運動閾値を測定することができる。
【００４２】
本実施例のランダムドットパターンは、黒のドットを使用しているが、他の色彩のドットや、適宜の輝度のドットを採用することができる。なお、ドットの輝度を変化させることも可能である。
【００４３】
また本実施例のバックグラウンドの色彩は、白であるが、適宜の色彩や輝度を採用することができる。
【００４４】
（Ｄ）「色知覚測定用パターン像」
【００４５】
また、色知覚測定用パターン像を視野測定面１０００の内面に投影することにより、色知覚を測定することができる。
【００４６】
この色知覚測定用パターン像は、例えば、図７（ａ）に示す様に適宜な色彩の円形像を投影した後、図７（ｂ）に示される様な図７（ａ）と異なる色彩の円形像を、同じ位置に高速に切り替え表示し、２つの円形像を高速に繰り返して切り替え表示する。
【００４７】
被検者が、色彩の切り替えを認識できなくなる状態を把握することにより、色知覚を測定することができる。
【００４８】
以上の様に本第１実施例は、視野視標投影手段２０００により、通常のスポット光である視野指標を投影するだけでなく、「視力検査用視標パターン像」等の投影像を、視野の周辺部の所望位置に刺激提示を行うことができるという効果がある。
【００４９】
「第２実施例」
【００５０】
次に図８に基づいて、第２実施例の視野測定装置２００００を説明する。第２実施例の視野測定装置２００００は、視野測定面１０００と、視野視標投影手段２０００と、プロジェクション機構３０００と、バックグラウンド照明手段４０００と、演算処理手段５０００と、ディスプレイ手段６０００とから構成されている。
【００５１】
第１実施例では、視野視標投影手段２０００とプロジェクション機構３０００とは、視野測定面１０００を挟んで対向する位置に配置されていたが、本第２実施例では、視野視標投影手段２０００もプロジェクション機構３０００と同様に、視野測定面１０００の内側に形成されている。従って第２実施例では、第１実施例と異なり、視野測定面１０００にはガイド穴１２００が形成されていない。
【００５２】
第２実施例の視野視標投影手段２０００は、ディスプレイ手段６０００の表示画像を投影するための投影レンズ２３００と、合焦調整手段２４００と、あおり補正機構２５００とから構成されている。
【００５３】
合焦調整手段２４００は、ディスプレイ手段６０００と投影レンズ２３００とを同時に移動させ、プロジェクション機構３０００を介して視野測定面１０００内面に投影される像を合焦させるためのものである。
【００５４】
プロジェクション機構３０００は、第１の反射ミラー３１１０と、第２の反射ミラー３１２０と、第１の反射ミラー３１１０と第２の反射ミラー３１２０とを走査させるための反射ミラー駆動手段３２００とから構成されている。
【００５５】
第１の反射ミラー３１１０は、視野測定面１０００への投影位置に応じて水平方向に移動するもので、第２の反射ミラー３１２０と協調して移動することにより、指標スポット光を視野測定面１０００の内面の所望の位置に投影させることができる。
【００５６】
第２の反射ミラー３１２０は、第１実施例の反射ミラー３１００と同様な機能を果たすものであり、指標スポット光を視野測定面１０００の内面の所望の位置に投影させることができる。
【００５７】
反射ミラー駆動手段３２００は、演算処理手段５０００の制御信号に基づき、反射ミラー第１の反射ミラー３１１０と第２の反射ミラー３１２０とを走査、回転させるためのものである。反射ミラー駆動手段３２００は、指標スポット光の投影位置の制御のみならず、像のゆがみを除去したり、像の回転等を実行することもできる。
【００５８】
また、ディスプレイ手段６０００と投影レンズ２３００とは、光ファイバー束で連結し、ディスプレイ手段６０００上の映像を、ファイバー束で、投影レンズ２３００まで導く構成にすることもできる。
【００５９】
ディスプレイ手段６０００は、演算処理手段５０００の画像形成部５２００に接続されており、ディスプレイ手段６０００上に所望の画像を形成することができる。
【００６０】
ディスプレイ手段６０００は、ＣＲＴ（カソードレイチューブ）や液晶表示装置を使用することもできるが、ＤＭＤ６１００（ＤＩＧＩＴＡＬ  ＭＩＣＲＯＭＩＲＲＯＲ  ＤＥＶＩＣＥ）等を採用することもできる。
【００６１】
ＤＭＤ６１００は、２次元に配列されたメモリアレイの各メモリセル上に微小なアルミニウムのミラーを配置し、メモリアレイに入力される画像信号に応じて各微小ミラーを静電気力で傾斜させることにより、画像を表示する表示デバイスである。
【００６２】
本第２実施例では、図９に示す様に、照明光源６２００からの供給された光を照明レンズ６３００とカラーフィルタ６４００を介してＤＭＤ６１００に入射させ、ＤＭＤ６１００で形成された画像を、視野視標投影手段２０００に送出する様に構成されている。
【００６３】
なお、あおり補正機構２５００は、演算処理手段５０００の制御信号に基づいて、ディスプレイ手段６０００を回転等させる構成にすることも可能であるが、画像形成部５２００が、予め、発生する歪をキャンセルする様な変形画像を形成し、この変形画像をディスプレイ手段６０００に表示することにより、実質的なあおり補正を実現することもできる。
【００６４】
以上の様に構成された第２実施例は、第１実施例と同様に、視野視標投影手段２０００により、通常の視野指標を投影するだけでなく、「視力検査用視標パターン像」等の投影像を、視野系の周辺部に刺激提示を行うことができるという効果がある。
【００６５】
また第２実施例のその他の構成及び作用等は、第１実施例と同様であるから、説明を省略する。
【００６６】
【効果】
以上の様に構成された本発明は、被検眼の視線を固定するための固視標と、半球ドーム面として形成された視野測定面に対して、視標スポット光を所望の位置に投影するための視野視標投影手段とからなる視野測定装置において、該視野視標投影手段により、前記視野測定面の所望の位置に、視力検査用視標パターン像等の検査用パターンを投影する構成となっているので、通常の視野測定を実現できるだけでなく、視野の周辺部の所望位置に輝度閾値、運動閾値、色閾値を測定するための複雑な刺激を提示することができるという卓越した効果がある。
【００６７】
そして、緑内障の様な疾病では、視野異常に先んじて運動視等の要因に異常が認められる可能性があり、この様な疾病の早期発見に貢献できるという効果がある。
【００６８】
また本発明は、視力検査用のパターン像等とは別に、視野測定用スポット光を同一の投影系で投影することができ、従来の視野測定と、周辺部の眼機能の測定とを１台の装置で可能にすることができるという卓越した効果がある。
【図面の簡単な説明】
【図１】本発明の第１実施例の視野測定装置１００００の構成を示す図である。
【図２】本発明の第１実施例の視野測定装置１００００の構成を示す図である。
【図３】視野測定面１０００の内面にイメージ像Ａを投影した状態を示す図である。
【図４】「視力検査用視標パターン像」を説明する図である。
【図５】「パターン部とパターン部の背景の明るさの比を変化させたパターン像」を説明する図である。
【図６】「運動閾値測定用パターン像」を説明する図である。
【図７（ａ）】「色知覚測定用パターン像」を説明する図である。
【図７（ｂ）】「色知覚測定用パターン像」を説明する図である。
【図８】本発明の第２実施例の視野測定装置２００００の構成を示す図である。
【図９】ディスプレイ手段６０００にＤＭＤ６１００を使用した場合を説明する図である。
【符号の説明】
１００００  第１の実施例の視野測定装置
２００００  第１の実施例の視野測定装置
１０００  視野測定面
１１００  固視標
１２００  ガイド穴
２０００  視野視標投影手段
２１００  光源
２２００  イメージ面
２３００  投影レンズ
２４００  合焦調整手段
２５００  あおり補正機構
３０００  プロジェクション機構
３１００  反射ミラー
３１１０  第１の反射ミラー
３１２０  第２の反射ミラー
３２００  反射ミラー駆動手段
４０００  バックグラウンド照明手段
５０００  演算処理手段
５１００  制御手段
５２００  画像形成部
５３００  被検者用入力手段
６０００  ディスプレイ手段
６１００  ＤＭＤ
６２００  照明光源
６３００  照明レンズ
６４００  カラーフィルタ
【図１】
0003716357.tif 000002
【図２】
0003716357.tif 000003
【図３】
0003716357.tif 000004
【図４】
0003716357.tif 000005
【図５】
0003716357.tif 000006
【図７】
0003716357.tif 000007
【図６】
0003716357.tif 000008
【図８】
0003716357.tif 000009
【図９】
0003716357.tif 000010